(57)【要約】【課題】  パイロットバーナの火炎の燃焼排気がメインバーナのバーナヘッドの周囲に回り込むことを防止し、メンインバーナへの火移り性能を向上させることができるガスコンロを実現する。【解決手段】  パイロットバーナ６の火炎ガイド６ｅの先端に排気案内板７０が固定され、当該排気案内板７０の底部７１と、側壁７２と、側壁７３と、傾斜板７４と、受皿３の下面とで、ダクト状の排気通路が形成され、パイロットバーナ６の火炎から発生する燃焼ガスの排気がメインバーナ５のバーナヘッド５１の外周を取り巻くように広がること防止して、受皿３の開口部の切り込み部から外部にパイロットバーナ６の火炎から発生する燃焼ガスの排気を排出して、メインバーナ５の火移り性能を向上する。【選択図】  図２
2006275373.tif 000002
【特許請求の範囲】
【請求項１】
外周に環状に複数の炎口を配設したバーナヘッドを有するメインバーナと、
中央に前記バーナヘッドを臨ませる開口部が形成され、前記バーナヘッドの周囲を前記炎口より下側で囲むリング状の受皿と、
前記受皿の下方に設けられ、前記受皿の開口部を介してメインバーナに点火するためのパイロットバーナと
を備えたガスコンロにおいて、
点火時に、前記パイロットバーナの燃焼排気が、前記メインバーナの炎口に環状に回り込まないように、前記受皿の裏側でパイロット火炎を囲む排気回り込み防止部材を備えたことを特徴とするガスコンロ。
【請求項２】
前記排気回り込み防止部材は、前記パイロットバーナの先端の火炎形成部に延設されることを特徴とする請求項１に記載のガスコンロ。
【請求項３】
前記排気回り込み防止部材は、前記受皿の裏面に向かい合う底面と、該底面の両側から前記受皿底面方向に伸びる側面とを備え、前記底面と前記側面と前記受皿の裏面とでパイロット火炎を略囲むことを特徴とする請求項１又は２に記載のガスコンロ。
【請求項４】
前記排気回り込み防止部材の前記側面の先端は、向かい合う受皿の裏面形状と略整合し、前記受皿裏面との隙間が３ｍｍ以内であることを特徴とする請求項３に記載のガスコンロ。
【発明の詳細な説明】
【技術分野】
【０００１】
本発明は、メインバーナに点火するためのパイロットバーナを備えたガスコンロに関する。
【背景技術】
【０００２】
従来より、ガスコンロのメインバーナに点火するための装置として、パイロットバーナをメインバーナの近傍に設け、当該パイロットバーナをまず点火して、そのパイロットバーナの火炎により、メインバーナに点火するものが知られている（例えば、特許文献１参照。）。
【０００３】
以下、従来のガスコンロ用のバーナ１００について、図９を参照して説明する。図９は、従来のガスコンロ用のバーナ１００の断面図である。図９に示すように、ガスコンロ用のバーナ１００を構成するメインバーナ１０１では、プレス加工した金属板を接合して形成したバーナ筐体１０２の基部１０２ａにメインノズル１０３を設け、バーナ筐体１０２の先端部に、外周に環状に複数の炎口を配設したバーナヘッド１０４を設けている。また、このバーナヘッド１０４に点火するために、メインノズル１０３の基部近傍にパイロットバーナ１１０を設け、そのパイロットバーナ１１０の先端部に、点火電極１１１及び火炎をメインバーナ１０１のバーナヘッド１０４に案内する火炎ガイド１１２を備えている。このような構造のガスコンロ用のバーナ１００では、まず、図示外のコック本体の操作で、点火電極１１１の放電によりパイロットバーナ１１０に点火され、その火炎が火炎ガイド１１２によりメインバーナ１０１のバーナヘッド１０４に案内されて、メインバーナ１０１に火移り（点火）する。
【０００４】
【特許文献２】特許第３４４２９２５号公報
【発明の開示】
【発明が解決しようとする課題】
【０００５】
しかしながら、上記の従来技術のガスコンロ用のバーナ１００では、パイロットバーナ１１０の火炎の燃焼排気が、バーナ１００の周囲に設けられる図示しないリング状の受皿の裏面を伝わって受皿中央の開口部の周囲全体から出て、メインバーナ１０１のバーナヘッド１０４の炎口を取り囲むように環状に回り込んで、パイロットバーナ１１０の火炎によりメインバーナ１０１へ点火するための火移り性能に悪影響を与えるという問題点があった。即ち、メインバーナ１０１へ火移り（点火）しにくくなるという問題点があった。
【０００６】
本発明は上記課題を解決するためになされたものであり、パイロットバーナの火炎の燃焼排気が、受皿の裏面を伝わって受皿中央の開口部の周囲全体から回り込んで、当該排気がメインバーナのバーナヘッドの炎口を環状に取り囲むことを防止し、メンインバーナへの火移り性能（点火性能）を向上することができるガスコンロを実現すること目的とする。
【課題を解決するための手段】
【０００７】
上記目的を達成するために、請求項１に係る発明のガスコンロは、外周に環状に複数の炎口を配設したバーナヘッドを有するメインバーナと、中央に前記バーナヘッドを臨ませる開口部が形成され、前記バーナヘッドの周囲を前記炎口より下側で囲むリング状の受皿と、前記受皿の下方に設けられ、前記受皿の開口部を介してメインバーナに点火するためのパイロットバーナとを備えたガスコンロにおいて、点火時に、前記パイロットバーナの燃焼排気が、前記メインバーナの炎口に環状に回り込まないように、前記受皿の裏側でパイロット火炎を囲む排気回り込み防止部材を備えている。
【０００８】
また、請求項２に係る発明のガスコンロは、請求項１に記載の発明の構成に加え、前記排気回り込み防止部材は、前記パイロットバーナの先端の火炎形成部に延設されることを特徴とする。
【０００９】
また、請求項３に係る発明のガスコンロは、請求項１又は２に記載の発明の構成に加え、前記排気回り込み防止部材は、前記受皿の裏面に向かい合う底面と、該底面の両側から前記受皿底面方向に伸びる側面とを備え、前記底面と前記側面と前記受皿の裏面とでパイロット火炎を略囲むことを特徴とする。
【００１０】
また、請求項４に係る発明のガスコンロは、請求項３に記載の発明の構成に加え、前記排気回り込み防止部材の前記側面の先端は、向かい合う受皿の裏面形状と略整合し、前記受皿裏面との隙間が３ｍｍ以内であることを特徴とする。
【発明の効果】
【００１１】
請求項１に係る発明のガスコンロでは、受皿の裏側にパイロット火炎を囲む排気回り込み防止部材を備えているので、パイロットバーナの火炎の燃焼排気が、受皿の裏面を伝わって受皿中央の開口部の周囲全体から回り込んで、当該排気がメインバーナのバーナヘッドの炎口を環状に取り囲むことを防止し、メンインバーナへの火移り性能（点火性能）を向上することができる。
【００１２】
また、請求項２に係る発明のガスコンロでは、請求項１に記載の発明の効果に加え、排気回り込み防止部材がパイロットバーナの先端の火炎形成部に延設されているので、排気回り込み防止部材をパイロットバーナと一体化でき、また、排気回り込み防止部材のガスコンロへの個別の取り付け等が不要となる。
【００１３】
また、請求項３に係る発明のガスコンロでは、請求項１又は２に記載の発明の効果に加え、排気回り込み防止部材の底面と両側面と受皿の裏面とで、パイロット火炎を略囲むので、パイロットバーナの火炎の燃焼排気が、受皿の裏面を伝わって受皿中央の開口部の周囲全体から回り込んで、当該排気がメインバーナのバーナヘッドの炎口を環状に取り囲むことを防止できる。
【００１４】
また、請求項４に係る発明のガスコンロでは、請求項３に記載の発明の効果に加え、排気回り込み防止部材の両側面の先端は、向かい合う受皿の裏面形状と略整合し、受皿裏面との隙間が３ｍｍ以内であるので、両側面の上端部と受皿の裏面との隙間からパイロットバーナの火炎の燃焼ガスの排気が受皿の下面に沿って漏れて、メインバーナのバーナヘッドの周囲に回り込むことを防止できる。
【発明を実施するための最良の形態】
【００１５】
以下、本発明の一実施の形態であるガスコンロ１について図面を参照して説明する。まず、図１は、ガスコンロ１のバーナユニット２の部分平面図であり、図２は、ガスコンロ１のバーナユニット２の部分断面図である。
【００１６】
図１及び図２に示すように、ガスコンロ１は、天板１２に設けた開口部に受皿３を嵌合させ、当該受皿３の下方にバーナユニット２を設けている。この受皿３は調理鍋からこぼれた汁等を受ける皿で、平面視、四隅が丸くなった正方形の金属製の板材の中央部に開口部３ａを穿設し、縁を高くしたたリング状の受皿である。この受皿３の開口部３ａは、後述するメインバーナ５のバーナヘッド５１を貫通させる平面視、樽型形状に穿設されている。即ち、開口部３ａは、円形の開口部に一対の切り込み部３ｂ、３ｃを形成した形となっている。この受皿３の底面は、下方にふくらみをもっている。そして、受皿３は、バーナヘッド５１の外周に環状に複数形成された炎口５１ａより下側で、バーナヘッド５１の周囲を取り囲んでいる。また、受皿３上には、五徳４が載置されている。
【００１７】
次に、図１及び図２を参照して、バーナユニット２について説明する。このバーナユニット２は、メインバーナ５と、メインバーナ５に点火するためのパイロットバーナ６と、使用者が点火操作やガスの量の調整を行うコック本体７とから構成されている。
【００１８】
コック本体７は、内部にメインバーナ用ガス通路７ａ及びパイロットバーナ用ガス通路７ｂに供給するガス量を調節するコック機構７ｃが設けられている。そして、コック本体７の中央部の上部からは、斜め上方（図２では、右斜め上方）に向けて、メインバーナ５にガスを供給するメインノズル８が設けられている。このメインノズル８に、メインバーナ５のバーナ本体５２の基部５２ａが固定されている。
【００１９】
次に、メインバーナ５の構造について説明する。図２に示すように、メインバーナ５は、プレス成形された上下２枚の金属板を接合して内部を中空に形成したバーナ本体５２と、バーナ本体５２内に空気を取り入れるダンパー部５２ｂと、内部を空気とガスの混合気が通過するスロート部５２ｃと、バーナ本体５２の先端側に設けられた混合気室５２ｄとから構成されている。混合気室５２ｄの上部には、外周に炎口５１ａが環状に複数配列されたバーナヘッド５１が着脱可能に設けられている。このバーナヘッド５１は、平面視、中央に円孔を有する環状に形成されている。
【００２０】
次に、図２乃至図８を参照して、パイロットバーナ６の構造を説明する。図３はパイロットバーナ６の平面図であり、図４はパイロットバーナ６の右側面図であり、図５はパイロットバーナ６の背面図であり、図６は排気案内板７０の平面図であり、図７は排気案内板７０の右面図であり、図８は排気案内板７０の背面図である。
【００２１】
図２に示すように、パイロットバーナ６は、コック本体７の中央部から上方へ延設されたパイロットバーナ保持部材７ｄの上部にその後端部を保持されている。尚、パイロットバーナ保持部材７ｄの上端には、パイロットバーナノズル９が固定され、パイロットバーナ保持部材７ｄの内部には、パイロットバーナノズル９にガスを供給するパイロットバーナ用ガス通路７ｂが形成されている。
【００２２】
図２乃至図５に示すように、パイロットバーナ６は、鉄板をプレス加工及び折り曲げ加工して形成している。そして、パイロットバーナ６は、パイロットバーナ保持部材７ｄに固定される平面視長方形の取り付け部６ａと、当該取り付け部６ａから延設され、パイロットバーナノズル９から噴射されたガスを案内するガス案内部６ｂと、図示外の圧電素子で発生した高圧電流を放電して、ガス案内部６ｂから流入するガスに点火する点火電極１０を保持する点火電極保持部６ｃと、点火電極１０の対極となる接地電極部６ｄと、火炎をメインバーナ５のバーナヘッド５１方向へ案内する火炎ガイド６ｅとから構成されている。尚、火炎ガイド６ｅが、「火炎形成部」に相当する。
【００２３】
この火炎ガイド６ｅは、図３及び図４に示すように、平面視略直角三角形の傾斜部６２と、当該傾斜部６２の両端部から立設された一対の側壁部６３，６４と、傾斜部６２から延設された平面視略矩形の底部６１とから構成されている。傾斜部６２がバーナヘッド５１方向に向かって上方に傾斜しており、その傾斜部６２の幅が先端に向かって狭くなるように、左右の側壁部６３，６４が形成されている。尚、側壁部６３は、ガス案内部６ｂと繋がっている。
【００２４】
また、図３乃至図５に示すように、火炎ガイド６ｅの傾斜部６２には、本発明の要部である「排気回り込み防止部材」に相当する排気案内板７０がスポット溶接されている。次に、この排気案内板７０の構造の詳細を図６乃至図８を参照して説明する。
【００２５】
図６に示すように、排気案内板７０は、金属板をプレス成形した部材であり、受皿３の裏面に対向する平面視略長方形の底部７１と、当該底部７１の短手方向の両端部（図６に於ける上端部及び下端部）から受皿３の裏面方向に各々に延設される一対の側壁７２及び側壁７３と、排気案内板７０の底部７１の先端部側（図６及び図７に於ける右端部）から、斜め上方に傾斜して延設された傾斜板７４とから構成されている。
【００２６】
尚、側壁７２及び側壁７３は、上部が受皿３の底部の形状に整合させて凸部及び凹部が形成されている。また、側壁７２及び側壁７３は、同形状となっている。従って、排気案内板７０の側壁７２及び側壁７３の先端（受皿３の底部に対向する側壁７２及び側壁７３の上端部）は、受皿３の裏面形状と整合し、受皿３の裏面との隙間が３ｍｍ以内になるように形成されている。これは、側壁７２及び側壁７３の先端と受皿３の裏面との隙間が３ｍｍより大きくなると、その隙間からパイロットバーナ６の火炎の燃焼排気が漏れて、受皿３の裏面を伝わって受皿３の中央の開口部３ａの全体から回り込んで、当該排気がメインバーナ５のバーナヘッド５１の炎口５１ａを環状に取り囲んでしまうからである。隙間が３ｍｍ以内であれば、燃焼排気の漏れは少なく、その影響もほとんど無いからである。また、排気案内板７０の傾斜板７４は、平面視略長方形に形成され、先端側の両角部が斜めに各々切り取られている。
【００２７】
次に、この排気案内板７０を備えたパイロットバーナ６の作用を図１乃至図３を参照して説明する。まず、使用者が図示外の点火つまみを操作すると、コック本体７からガスがパイロットバーナ用ガス通路７ｂを経てパイロットバーナノズル９に供給されると同時にガスがメインバーナ用ガス通路７ａを経てメインノズル８に供給される。そして、点火電極１０と接地電極部６ｄとの間に放電が生じてパイロットバーナ６が点火され火炎ガイド６ｅにより火炎がメインバーナ５のバーナヘッド５１方向に案内される。
【００２８】
このときに、火炎ガイド６ｅの先端に排気案内板７０が固定されているので、当該排気案内板７０の底部７１と、側壁７２と、側壁７３と、傾斜板７４と、受皿３の下面とで、ダクト状の排気通路が形成され、パイロットバーナ６のパイロット火炎を囲むので、パイロットバーナ６の火炎の燃焼排気が、受皿３の裏面を伝わって受皿３の中央の開口部３ａの全体から回り込んで、当該排気がメインバーナ５のバーナヘッド５１の炎口５１ａを環状に取り囲むことを防止して、受皿３の開口部３ａの切り込み部３ｂから外部に、パイロットバーナ６の火炎から発生する燃焼ガスの排気を排出することができる。したがって、パイロットバーナ６の火炎から発生する燃焼ガスの排気がメインバーナ５のバーナヘッド５１の外周を環状に取り巻いてメインバーナ５への火移り性能（点火性能）が低下すること防止できる。即ち、メインバーナ５への火移り性能（点火性能）を向上することができる。この点に関して、酸欠環境下で火移り性能の試験をしたところ、排気回り込み防止部材（排気案内板７０）を有しない従来のガスコンロの場合には、酸素濃度２０％までしかメインバーナ５に火移り（点火）できなかったものが、排気回り込み防止部材（排気案内板７０）を有するガスコンロでは、酸素濃度１９．２％でも火移り（点火）できるようになった。
【００２９】
尚、本発明は、上記実施の形態に限られず、各種の変形が可能である。例えば、上記実施の形態では、排気回り込み防止部材としての排気案内板７０は、パイロットバーナ６の火炎ガイド６ｅに固定したが、排気回り込み防止部材は、必ずしもパイロットバーナ６に固定せず、別途ブラケットを用いて、バーナユニット２やガスコンロ１の筐体や受皿３の下面等に固定しても良い。
【産業上の利用可能性】
【００３０】
本発明の燃焼装置は、パイロットバーナによりメインバーナに点火するガスコンロなどの各種のガス機器に適用可能である。
【図面の簡単な説明】
【００３１】
【図１】ガスコンロ１のバーナユニット２の部分平面図である。
【図２】ガスコンロ１のバーナユニット２の部分断面図である。
【図３】パイロットバーナ６の平面図である。
【図４】パイロットバーナ６の右側面図である。
【図５】パイロットバーナ６の背面図である。
【図６】排気案内板７０の平面図である。
【図７】排気案内板７０の右面図である。
【図８】排気案内板７０の背面図である。
【図９】従来のガスコンロ用のバーナ１００の断面図である。
【符号の説明】
【００３２】
１    ガスコンロ
２    バーナユニット
３    受皿
３ａ  開口部
３ｂ  切り込み部
４    五徳
５    メインバーナ
６    パイロットバーナ
６ｂ  ガス案内部
６ｃ  点火電極保持部
６ｄ  接地電極部
６ｅ  火炎ガイド
７    コック本体
７ｄ  パイロットバーナ保持部材
７ａ  メインバーナ用ガス通路
７ｂ  パイロットバーナ用ガス通路
７ｃ  コック機構
８    メインノズル
９    パイロットバーナノズル
１０    点火電極
５１    バーナヘッド
５１ａ  炎口
５２    バーナ本体
５２ａ  基部
５２ｂ  ダンパー部
５２ｃ  スロート部
５２ｄ  混合気室
７０    排気案内板
７１    底部
７２    側壁
７３    側壁
７４    傾斜板
【図１】
2006275373.tif 000003
【図２】
2006275373.tif 000004
【図３】
2006275373.tif 000005
【図４】
2006275373.tif 000006
【図５】
2006275373.tif 000007
【図６】
2006275373.tif 000008
【図７】
2006275373.tif 000009
【図８】
2006275373.tif 000010
【図９】
2006275373.tif 000011